(57)【要約】【課題】湾曲部を腸管のヒダに引っ掛けて手元側に引き寄せたり軸線周りに捩じって腸管を直線化する操作を行う際に湾曲部とヒダとの係合が外れ難く、可撓性挿入部を大腸内に容易かつ円滑に挿入することができる大腸挿入用内視鏡の挿入部を提供すること。【解決手段】可撓管により外装された可撓性挿入部１の先端部分に、遠隔操作によって屈曲させることができる湾曲部２が設けられた大腸挿入用内視鏡の挿入部において、湾曲部２の外表面に一個又は複数の凸条６を突出形成した。【選択図】      図１
2006192091.tif 000002
【特許請求の範囲】
【請求項１】
可撓管により外装された可撓性挿入部の先端部分に、遠隔操作によって屈曲させることができる湾曲部が設けられた大腸挿入用内視鏡の挿入部において、
上記湾曲部の外表面に一個又は複数の凸条を突出形成したことを特徴とする大腸挿入用内視鏡の挿入部。
【請求項２】
上記湾曲部が弾力性のあるチューブ状部材により外装されていて、上記凸条が上記チューブ状部材と一体に形成されている請求項１記載の大腸挿入用内視鏡の挿入部。
【請求項３】
上記各凸条が上記湾曲部の軸線周り方向に突出形成され、そのような凸条が一個又は上記湾曲部の軸線方向に間隔をあけて複数設けられている請求項１又は２記載の大腸挿入用内視鏡の挿入部。
【請求項４】
上記各凸条が上記湾曲部の軸線と平行方向に突出形成され、そのような凸条が一個又は上記湾曲部の軸線周り方向に間隔をあけて複数設けられている請求項１又は２記載の大腸挿入用内視鏡の挿入部。
【請求項５】
上記湾曲部の軸線周り方向に突出形成された凸条と上記湾曲部の軸線と平行方向に突出形成された凸条とが上記湾曲部の外表面に突出形成されている請求項１又は２記載の大腸挿入用内視鏡の挿入部。
【請求項６】
上記凸条が上記湾曲部の外表面から螺旋状に突出形成されている請求項１又は２記載の大腸挿入用内視鏡の挿入部。
【請求項７】
上記凸条が各々途中で分断された形状に形成されている請求項１ないし６のいずれかの項に記載の大腸挿入用内視鏡の挿入部。
【請求項８】
上記凸条が上記湾曲部の先端付近のみに形成されている請求項１ないし７のいずれかの項に記載の大腸挿入用内視鏡の挿入部。
【請求項９】
上記凸条が上記湾曲部全体に形成されている請求項１ないし７のいずれかの項に記載の大腸挿入用内視鏡の挿入部。
【発明の詳細な説明】
【技術分野】
【０００１】
この発明は大腸挿入用内視鏡の挿入部に関する。
【背景技術】
【０００２】
大腸挿入用の内視鏡は被検者の肛門から大腸内に挿入されるが、大腸を肛門側から辿ると、短い直腸を通過してＳ字結腸において小さな曲率半径で文字通りＳ字状にカーブして下向結腸に至り、さらに下向結腸から横行結腸に移行する部分でも９０°以上に屈曲している場合がほとんどである。
【０００３】
しかも、直腸以外の部分は体壁に固定されておらず、Ｓ字結腸等は外力で自由に伸縮したり形状が変わったりする場合が多いので、大腸内に無闇に内視鏡を押し込んでも腸管が奥へ伸ばされてしまうだけで内視鏡を大腸の深部へ挿入するのは困難である。
【０００４】
そこで、内視鏡の可撓性挿入部をある程度まで腸管内に挿入したら、可撓性挿入部先端に形成されている湾曲部を遠隔操作により小さな曲率半径で屈曲させて、その先端部分を腸管のヒダに引っ掛ける手技が行われる。
【０００５】
そのようにして湾曲部を腸管のヒダに引っ掛けたら、湾曲部を腸管のヒダに引っ掛けて手元側に引き寄せたり軸線周りに捩じったりして腸管を直線化することにより、可撓性挿入部を大腸深部へ比較的容易に挿入することができる。
【０００６】
そのようにして大腸内に挿入される大腸挿入用内視鏡の挿入部は一般に、可撓管により外装された可撓性挿入部の先端部分に、遠隔操作によって屈曲させることができる湾曲部が設けられ、湾曲部は弾力性のあるチューブ状部材によって外装された構成になっている（例えば、特許文献１）。
【特許文献１】特開平９−２４０２０
【発明の開示】
【発明が解決しようとする課題】
【０００７】
従来の大腸挿入用内視鏡で上述のような挿入手技を行う際には、湾曲部を腸管のヒダに引っ掛けて手元側に引き寄せたり軸線周りに捩じったりすると湾曲部とヒダとの係合が滑って外れ、挿入操作を最初からやり直さなければならなくなって挿入に非常に時間がかかる場合が少なくなかった。
【０００８】
そこで本発明は、湾曲部を腸管のヒダに引っ掛けて手元側に引き寄せたり軸線周りに捩じって腸管を直線化する操作を行う際に湾曲部とヒダとの係合が外れ難く、可撓性挿入部を大腸内に容易かつ円滑に挿入することができる大腸挿入用内視鏡の挿入部を提供することを目的とする。
【課題を解決するための手段】
【０００９】
上記の目的を達成するため、本発明の大腸挿入用内視鏡の挿入部は、可撓管により外装された可撓性挿入部の先端部分に、遠隔操作によって屈曲させることができる湾曲部が設けられた大腸挿入用内視鏡の挿入部において、湾曲部の外表面に一個又は複数の凸条を突出形成したものであり、湾曲部が弾力性のあるチューブ状部材により外装されていて、凸条がチューブ状部材と一体に形成されていてもよい。
【００１０】
そして、各凸条が湾曲部の軸線周り方向に突出形成され、そのような凸条が一個又は湾曲部の軸線方向に間隔をあけて複数設けられていてもよく、或いは、各凸条が湾曲部の軸線と平行方向に突出形成され、そのような凸条が一個又は湾曲部の軸線周り方向に間隔をあけて複数設けられていてもよい。
【００１１】
そして、湾曲部の軸線周り方向に突出形成された凸条と湾曲部の軸線と平行方向に突出形成された凸条とが湾曲部の外表面に突出形成されていてもよく、或いは、凸条が湾曲部の外表面から螺旋状に突出形成されていてもよい。
【００１２】
また、凸条が各々途中で分断された形状に形成されていてもよく、凸条が湾曲部の先端付近のみ又は湾曲部全体のいずれに形成されていてもよい。
【発明の効果】
【００１３】
本発明の大腸挿入用内視鏡の挿入部によれば、湾曲部の外表面に一個又は複数の凸条を突出形成したことにより、湾曲部を腸管のヒダに引っ掛けて手元側に引き寄せたり軸線周りに捩じって腸管を直線化する操作を行う際に湾曲部とヒダとの係合が外れ難く、可撓性挿入部を大腸内に容易かつ円滑に挿入することができる。
【発明を実施するための最良の形態】
【００１４】
可撓管により外装された可撓性挿入部の先端部分に、遠隔操作によって屈曲させることができる湾曲部が設けられた大腸挿入用内視鏡の挿入部において、湾曲部の外表面に一個又は複数の凸条を突出形成する。
【実施例】
【００１５】
図面を参照して本発明の実施例を説明する。
図２は大腸挿入用内視鏡の外観図であり、可撓管により外装された可撓性挿入部１の先端部分に設けられた湾曲部２は、可撓性挿入部１の基端に連結された操作部３において操作ノブ４を操作することにより、二点鎖線で示されるように、任意の方向に任意の角度だけ屈曲させることができる。
【００１６】
湾曲部２の構造は、例えば多数の節輪を回動自在にリベットで連結した公知のものであり、ゴムチューブ等のような弾力性のあるチューブ状部材によって外装され、操作ノブ４側から牽引操作される操作ワイヤにより屈曲駆動される。
【００１７】
湾曲部２の先端に連結された硬質の短円柱状の先端部本体５には、対物光学系や固体撮像素子等各種の機能要素が内蔵されている。また、湾曲部２の外表面には複数の凸条６が突出形成されている。
【００１８】
図１は可撓性挿入部１の最先端部付近を示しており、被写体の光像を取り込むための観察窓７や図示されていない照明窓等が先端部本体５の先端面５ａに配置されていて、可撓性挿入部１の前方を内視鏡観察することができる。
【００１９】
凸条６は、湾曲部２を外装するチューブ状部材８と一体成形により弾力性のある材料で形成されており、チューブ状部材８の表面から円弧状の断面形状で湾曲部２の軸線周りに全周にわたって凸状に突出する環状に形成されている。
【００２０】
そしてこの実施例においては、上述のような凸条６が湾曲部２の軸線方向に等間隔で３個並列に突出形成されている。ただし、複数の凸条６間の間隔は必ずしも等間隔である必要はなく、また凸条６は少なくとも一個設けられていればよい。
【００２１】
図３は、上述のように構成された実施例の大腸挿入用内視鏡が大腸内に挿入されている状態を示しており、例えば腸管のカーブ部分において、凸条６が腸管内壁のヒダ１００部分を通過する状態になった位置で湾曲部２を屈曲させ、凸条６をヒダ１００に係合させる。
【００２２】
そして、図４に示されるように、可撓性挿入部１を手元側に引き寄せる操作を行えば、凸条６と係合するヒダ１００が肛門側に引き寄せられることにより腸管が縮んで真っ直ぐな状態になるので、引き続き適宜の回転操作等も行ってから可撓性挿入部１を押し込み操作することにより大腸深部への挿入を容易に行うことができる。
【００２３】
このような動作に際して、本発明においては、湾曲部２の外周面に突設された凸条６がヒダ１００によく引っ掛かって、可撓性挿入部１を手元側に引き寄せる操作をしたときにヒダ１００との係合が簡単に外れないので、腸管を迅速に真っ直ぐな状態に縮めることができる。
【００２４】
図５は本発明の第２の実施例の大腸挿入用内視鏡の挿入部を示しており、凸条６が湾曲部２の軸線と平行方向に突出形成され、図５におけるVI−VI断面を図示する図６に示されるように、そのような凸条６が湾曲部２の軸線周り方向に等間隔で８個設けられている。なお、複数の凸条６間の間隔は必ずしも等間隔である必要はない。また、凸条６は少なくとも一個設けられていればよく、実用上からは３〜１２個程度の範囲にあるのが望ましい。
【００２５】
このように構成された第２の実施例の大腸挿入用内視鏡においては、凸条６を腸管のヒダ１００に係合させた状態で可撓性挿入部１を軸線周りに回転操作することにより、ループ状になっている腸管を回動させて真っ直ぐな状態にして、引き続き適宜の引っ張り操作等も行ってから可撓性挿入部１を押し込み操作することにより大腸深部への挿入を容易に行うことができる。
【００２６】
図７は本発明の第３の実施例を示しており、第２の実施例と同様の凸条６を湾曲部２の全長にわたって外周面に突出形成したものである。このように構成しても第２の実施例と同様の効果を得ることができる。
【００２７】
図８は本発明の第４の実施例の大腸挿入用内視鏡の挿入部を示しており、湾曲部２の軸線周り方向に突出する凸条６Ａと湾曲部２の軸線と平行方向に突出する凸条６Ｂとを湾曲部２の外表面に突出形成したものである。このように構成することにより、腸管の短縮化操作と回動操作を共に容易に行って大腸深部への挿入を容易に行うことができる。
【００２８】
図９は本発明の第５の実施例の大腸挿入用内視鏡の挿入部を示しており、凸条６を湾曲部２の外表面から螺旋状に突出形成したものである。このように構成しても同様の効果を得ることができる。
【００２９】
図１０は本発明の第６の実施例の大腸挿入用内視鏡の挿入部を示しており、湾曲部２の軸線周り方向に突出する複数の凸条６を、各々途中で分断された形状に形成したものである。このように構成しても、腸管の短縮化操作と回動操作を共に容易に行って大腸深部への挿入を容易に行うことができる。
【００３０】
図１１は本発明の第７の実施例の大腸挿入用内視鏡の挿入部を示しており、湾曲部２の軸線周り方向に突出する凸条６Ａを途中で分断された形状に形成して、その分断位置に、湾曲部２の軸線と平行方向に突出する凸条６Ｂを配置したものである。このように構成しても、腸管の短縮化操作と回動操作を共に容易に行って大腸深部への挿入を容易に行うことができる。
【図面の簡単な説明】
【００３１】
【図１】本発明の第１の実施例の大腸挿入用内視鏡の挿入部の側面部分断面図である。
【図２】本発明の第１の実施例の大腸挿入用内視鏡の全体構成を示す外観図である。
【図３】本発明の第１の実施例の大腸挿入用内視鏡の使用状態の略示図である。
【図４】本発明の第１の実施例の大腸挿入用内視鏡の使用状態の略示図である。
【図５】本発明の第２の実施例の大腸挿入用内視鏡の挿入部の側面部分断面図である。
【図６】本発明の第２の実施例の大腸挿入用内視鏡の挿入部のチューブ状部材と凸条の図５におけるVI−VI断面図である。
【図７】本発明の第３の実施例の大腸挿入用内視鏡の挿入部の側面図である。
【図８】本発明の第４の実施例の大腸挿入用内視鏡の挿入部の側面図である。
【図９】本発明の第５の実施例の大腸挿入用内視鏡の挿入部の側面図である。
【図１０】本発明の第６の実施例の大腸挿入用内視鏡の挿入部の側面図である。
【図１１】本発明の第７の実施例の大腸挿入用内視鏡の挿入部の側面図である。
【符号の説明】
【００３２】
１  可撓性挿入部
２  湾曲部
５  先端部本体
５ａ  先端面
６，６Ａ，６Ｂ  凸条
７  観察窓
８  チューブ状部材
１００  ヒダ
【図１】
2006192091.tif 000003
【図２】
2006192091.tif 000004
【図３】
2006192091.tif 000005
【図４】
2006192091.tif 000006
【図５】
2006192091.tif 000007
【図６】
2006192091.tif 000008
【図７】
2006192091.tif 000009
【図８】
2006192091.tif 000010
【図９】
2006192091.tif 000011
【図１０】
2006192091.tif 000012
【図１１】
2006192091.tif 000013